(57)【要約】【課題】地球環境を保全しつつコストダウン可能かつ安全性と安定性があり、しかも高性能の防振地中壁を提供すること。【解決手段】振動発生源から地盤を伝播してくる振動を遮断する防振地中壁において、鋼矢板、ソイルセメントまたはコンクリートからなる連続地中壁が間隔を置いて２重に打設され、その間に空間が形成された２重山留壁と、発泡樹脂等の軽量かつインピーダンスの小さい材料で覆われた袋の内部に土が充填された土嚢と、から構成され、２重山留壁の空間は、多数の前記土嚢にて充填された防振地中壁とした。【選択図】図１
2015078577.tif 000002
【特許請求の範囲】
【請求項１】
振動発生源から地盤を伝播してくる振動を遮断する防振地中壁において、
地盤を掘削することにより形成された縦溝と、
発泡樹脂等の軽量かつインピーダンスの小さい材料で覆われた袋の内部に土が充填された土嚢と、から構成され、
前記縦溝は、多数の前記土嚢にて充填されていることを特徴とする防振地中壁。
【請求項２】
振動発生源から地盤を伝播してくる振動を遮断する防振地中壁において、
鋼矢板、ソイルセメントまたはコンクリートからなる連続地中壁が間隔を置いて２重に打設され、その間に空間が形成された２重山留壁と、
発泡樹脂等の軽量かつインピーダンスの小さい材料で覆われた袋の内部に土が充填された土嚢と、から構成され、
２重山留壁の空間は、多数の前記土嚢にて充填されていることを特徴とする防振地中壁。
【請求項３】
前記軽量かつインピーダンスの小さい材料は、表面に切り込みが入れられた発泡樹脂製板であり、前記袋の表面に貼付されあるいは二重袋の間隙に収納されていることを特徴とする請求項１に記載された防振地中壁。
【請求項４】
前記軽量かつインピーダンスの小さい材料は、発泡樹脂製ビーズであり、二重袋の間隙に充填されていることを特徴とする請求項１に記載された防振地中壁。
【請求項５】
発泡樹脂等の軽量かつインピーダンスの小さい材料が、二重袋の外袋と内袋の間に収納され、前記内袋に土を収納可能とされた防振地中壁用土嚢袋。
【発明の詳細な説明】
【技術分野】
【０００１】
本発明は、建設工事現場、工場、鉄道、道路等の振動発生源から地盤を伝播してくる振動を遮断する防振地中壁および防振地中壁用土嚢袋に関する。
【背景技術】
【０００２】
地中に連続壁もしくは空溝を設けて地盤を伝播してくる振動を遮断する方法は公知の事実であり、実際に鋼矢板やコンクリートを構造材とした振動遮断工法が実施されている。
【０００３】
具体的には、地盤の剛性より十分に固い材料を用いて、振動の波長、すなわち地盤振動伝播速度を問題となっている振動の周波数で除した値、の１／４程度より深い壁を地中に構築するもので、これを１枚の連続地中壁とする、もしくはこれを２重に構築してその間を掘削して空溝とした構造となっている。
【０００４】
防振性能は、振動の波長に対して壁や溝が深いほど高く、また比重と剛性を乗じて求める壁材のインピーダンスと地盤のインピーダンスの比が大きいほど防振性能が高い、という性質がある。これは、壁の構築深さを深くするほど壁の下部から回折するための距離が長くなるので振動が低減する一方、壁材と地盤のインピーダンス比が高いほど境界面での反射が増えて透過する振動が低減することに起因しているためである。
【０００５】
また、振動遮断の手法を空溝にすることにより、対向する溝壁面を透過する振動をゼロにして、溝下部からの回折による振動の伝播のみに限定することができる。
ただし、振動の波長は周波数が低いほど長くなる。これに対応するべく壁等の深さを深くするほどコストが増大するため、防振性能を高くすることには限界がある。
【０００６】
また、壁材と地盤のインピーダンス比を大きくするといっても、土の比重や剛性に対してコンクリートや鋼材のそれを大きくすることには限界があり、また比重が小さくて剛性の小さい発泡材のようなものを地中に設置する場合、地下水位が高いと発泡材が浮き上がるため安定した設置が困難という欠点がある。
【０００７】
一般的に空溝を構築するには、２枚の山留壁を打設した後それらの間を掘削等して土を撤去するが、山留壁は土圧に抵抗して自立させる必要があるため、山留壁は空溝の深さよりさらに深く打設する必要があるためコストが増大する。
【０００８】
そこで、通常の地下部の建設現場のように、２枚の山留壁の間に切梁を渡して壁を保持させる構造とした場合、切梁を介して振動が伝播してしまう。このため、上記した対向する溝壁面を透過する振動をゼロにした防振効果が減殺されてしまう欠点がある。
また、空溝の完成後に人や物が溝に転落する事故を防止するために蓋を設けると、同様に蓋が振動伝播経路となってしまう問題も有している。
【先行技術文献】
【特許文献】
【０００９】
【特許文献１】特開2000-64328号公報
【発明の概要】
【発明が解決しようとする課題】
【００１０】
本発明は、上述した種々の問題を解決するために創作されたもので、地球環境を保全しつつコストダウン可能かつ安全性と安定性があり、しかも高性能の防振地中壁を提供することを目的とするものである。
【課題を解決するための手段】
【００１１】
請求項１に係る発明は、振動発生源から地盤を伝播してくる振動を遮断する防振地中壁において、地盤を掘削することにより形成された縦溝と、発泡樹脂等の軽量かつインピーダンスの小さい材料で覆われた袋の内部に土が充填された土嚢と、から構成され、前記縦溝は、多数の前記土嚢にて充填された防振地中壁とした。
【００１２】
請求項２に係る発明は、振動発生源から地盤を伝播してくる振動を遮断する防振地中壁において、鋼矢板、ソイルセメントまたはコンクリートからなる連続地中壁が間隔を置いて２重に打設され、その間に空間が形成された２重山留壁と、発泡樹脂等の軽量かつインピーダンスの小さい材料で覆われた袋の内部に土が充填された土嚢と、から構成され、２重山留壁の空間は、多数の前記土嚢にて充填された防振地中壁とした。
【００１３】
請求項３に係る発明は、前記軽量かつインピーダンスの小さい材料は、表面に切り込みが入れられた発泡樹脂製板であり、前記袋の表面に貼付されあるいは二重袋の間隙に収納されていることを特徴としている。
【００１４】
請求項４に係る発明は、前記軽量かつインピーダンスの小さい材料は、発泡樹脂製ビーズであり、二重袋の間隙に充填されていることを特徴としている。
【００１５】
請求項５に係る発明は、発泡樹脂等の軽量かつインピーダンスの小さい材料が、二重袋の外袋と内袋の間に収納され、前記内袋に土を収納可能とされた防振地中壁用土嚢袋とした。
【発明の効果】
【００１６】
請求項１に係る発明によれば、発泡樹脂等の軽量かつインピーダンスの小さい材料と地盤のインピーダンス比が高いほどその境界面での反射が増えて透過する振動が低減するので防振性能を高くすることができる。
特に地盤、連続地中壁、反復して出現する発泡樹脂等の層と土の層の境界面、連続地中壁、地盤の如きインピーダンスが異なる境界面を幾重にも設けることによって、各境界面を透過する振動がその都度低減して、防振地中壁部分を透過する振動が大きく低減する効果と、発泡樹脂材自体の減衰性能による効果の、２つを兼ね備えたものとなっているので防振性能を大きく高くすることができる。
【００１７】
また、地下水位が高い場合であっても、発泡樹脂等の軽量かつインピーダンスの小さい材料で覆われた袋の内部に土が充填されているので、土嚢が錘となって発泡樹脂等が浮き上がることがないため、発泡樹脂等を安定して所定の位置に保つことができる。
さらにまた、空溝の完成後に人や物が溝に転落する事故を防止するための蓋を設ける必要がないから、蓋が振動伝播経路となることを防止することができる。
【００１８】
土嚢を作るとき現地発生土を使用するため、現場外への排土量を低減することができ、また、この防振地中壁を仮設の振動対策構造物として使用した場合、袋を重機で取り出して内部の土を用いて埋め戻すことにより、廃棄物を最小限とすることができ、地球環境保全に貢献し得る。
【００１９】
請求項２に係る発明によれば、土嚢を充填する空間を鋼矢板、ソイルセメントまたはコンクリートからなる連続地中壁を間隔を置いて２重に打設した２重山留壁にて形成したので、工事中に土壁が崩壊することなく防振地中壁構築工事を安定して施工することができる。
【００２０】
さらに、空溝の山留壁は土圧に抵抗して自立させるため、山留壁は空溝の深さよりさらに深く打設する必要があるが、この発明によれば、袋部分は土で充填されているために、山留壁の土圧の一部を袋詰めされた土に負担させて打設深さを浅くして施工コストを削減することができ、その強度・剛性を高くすることができる。
【００２１】
請求項３に係る発明によれば、発泡樹脂製板の表面に切り込みが入れられているので、想定外の発泡樹脂板の破断を防ぎ、また袋表面に貼付されあるいは二重袋の間隙に収納されているので、発泡樹脂板の散逸を防ぐことができる。
【００２２】
請求項４に係る発明によれば、土嚢の構造が、発泡樹脂製ビーズが二重袋の間隙に充填されたものであるので、製作が容易であるばかりでなく土圧に対して柔軟に抵抗することができる。
【００２３】
請求項５に係る発明によれば、二重袋の外袋と内袋の間には、発泡樹脂等の軽量かつインピーダンスの小さい材料が既に収納されているので、防振地中壁構築現場では、通常の土嚢を作成するときと同じようにこの防振地中壁用土嚢袋に土を充填するのみでよく、作業性を良くすることができる。
【図面の簡単な説明】
【００２４】
【図１】本発明の防振地中壁の横断面図である。
【図２】表面に切り込みが入れられた発泡樹脂製板が二重袋の間隙に収納された状態の土嚢の縦断面図である。
【図３】表面に切り込みが入れられた発泡樹脂製板で覆われた二重袋の内部に土が充填された土嚢の縦断面図である。
【実施例１】
【００２５】
本実施例の防振地中壁１の一部を示す横断面図である図１を参照して、本実施例を説明する。
建設工事現場、工場、鉄道、道路等の振動発生源から地盤１１を伝播してくる振動を遮断する防振地中壁１は、鋼矢板、ソイルセメントまたはコンクリートからなる連続地中壁２１．２１が間隔を置いて２重に打設され、その間の地盤を掘削して空間が形成された２重山留壁２と、外面が発泡樹脂で覆われた土嚢３とから構成されている。
【００２６】
土嚢３は内土嚢袋３１と外土嚢袋３２からなる二重袋とされ、この二重袋の間に外表面に切り込み３５が入れられ、裏面に裏あて材３４が貼付された発泡樹脂製板３３が収納されている。
この切り込み３５は、発泡スチロール板３３の破断を防止するものであり、裏あて材３４は、発泡スチロール板３３が破断したときでもそれらの移動を防いで発泡スチロール板３３を全体として保形するものである。
【００２７】
土嚢３は、上記した二重袋の内土嚢袋３１内部に土３６が充填されたものが多数製作される。防振地中壁１は、２重に打設された連続地中壁２１．２１間に形成された２重山留壁空間２２にこれら土嚢３が設置された構造となっている。
【００２８】
二重袋の構造は、土嚢３内の充填土３６が外に漏れることのない布製もしくは樹脂製の袋の表面に、可撓性のあるクッション材を貼り付けた構造や袋の素材自体にクッション性を有する構造、あるいは小さな発泡樹脂ブロックが独立して鎧状に袋に張り付いている構造とする。また、クッションの材料は、発泡樹脂以外に、繊維を綿状にしたものでもよい。
【００２９】
以上の実施の態様では、鋼矢板、ソイルセメントまたはコンクリートからなる連続地中壁を間隔を置いて２重に打設して２重山留壁２を構築しているが、この２重山留壁２は必ずしも必須のものではなく、地盤の安定性等の条件によってはこれを削減することも可能である。
【実施例２】
【００３０】
この実施例は、土嚢３は内土嚢袋３１と外土嚢袋３２からなる二重袋とされ、この二重袋の間に発泡樹脂製ビーズが充填された形態である。
二重袋の構造は、実施例１と同様の構造とすることもできる。
【符号の説明】
【００３１】
１        防振地中壁
２        ２重山留壁
２１        連続地中壁
２２        ２重山留壁空間
３        土嚢
３１        内土嚢袋
３２        外土嚢袋
３３        発泡スチロール板
３４        裏あて材
３５        切り込み
３６        充填土
３７        緊締部
【図１】
2015078577.tif 000003
【図２】
2015078577.tif 000004
【図３】
2015078577.tif 000005